(57)【要約】【課題】動力伝達軸に工夫を講じることにより、等速自在継手の内輪に動力伝達軸を組み付けた場合における両者間に生じ得る軸方向のガタツキを可及的に抑制する。【解決手段】軸端部１ｘの外周面が、等速自在継手の内輪２の内周面に周方向移動を規制されて嵌合されると共に、軸端部１ｘの軸端寄り位置に、内輪２の軸端側への軸方向移動を規制する抜け止め部材（例えば丸サークリップ）３を装着する周溝１ｂが形成され、且つ、軸端部１ｘの軸中央寄り位置に、内輪２の軸中央側への軸方向移動を規制する肩部１ｃが配設された動力伝達軸１において、周溝１ｂと、肩部１ｃの配設部との少なくとも一方が、熱処理後における加工（例えば焼入れ鋼切削加工）により形成されている。【選択図】図１
2009180315.tif 000002
【特許請求の範囲】
【請求項１】
軸端部の外周面が、等速自在継手の内輪の内周面に周方向移動を規制されて嵌合されると共に、前記軸端部の軸端寄り位置に、前記内輪の軸端側への軸方向移動を規制する抜け止め部材を装着する周溝が形成され、且つ、前記軸端部の軸中央寄り位置に、前記内輪の軸中央側への軸方向移動を規制する肩部が配設された動力伝達軸において、
前記周溝と、前記肩部の配設部との少なくとも一方が、熱処理後における加工により形成されていることを特徴とする動力伝達軸。
【請求項２】
前記軸端部の外周面に、前記等速自在継手の内輪の内周面に形成されたセレーション又はスプライン状の歯型に嵌合可能なセレーション又はスプライン状の歯型が形成されると共に、前記周溝に装着された抜け止め部材に、前記内輪の継手内部側に位置する内部側チャンファが当接可能とされ、且つ、前記肩部に、前記内輪の継手入口側に位置する入口側チャンファが当接可能とされていることを特徴とする請求項１に記載の動力伝達軸。
【請求項３】
前記周溝と、前記肩部の配設部とが、熱処理後の切削により同時加工されていることを特徴とする請求項１または２に記載の動力伝達軸。
【請求項４】
材質が鋼であり、前記熱処理が、高周波熱処理または浸炭熱処理であることを特徴とする請求項１〜３の何れかに記載の動力伝達軸。
【請求項５】
前記熱処理後の加工が、焼入れ鋼切削加工であることを特徴とする請求項１〜４の何れかに記載の動力伝達軸。
【請求項６】
前記抜け止め部材が、丸サークリップであることを特徴とする請求項１〜５の何れかに記載の動力伝達軸。
【請求項７】
前記抜け止め部材が、スナップリングであることを特徴とする請求項１〜５の何れかに記載の動力伝達軸。
【請求項８】
等速自在継手の内輪の内周面と動力伝達軸の軸端部の外周面とを周方向移動を規制して嵌合させると共に、前記動力伝達軸の軸端部の軸端寄り位置に周溝を形成して、該周溝に装着された抜け止め部材が、前記内輪の軸端側への軸方向移動を規制するように構成し、且つ、前記動力伝達軸の軸端部の軸中央寄り位置に配設した肩部が、前記内輪の軸中央側への軸方向移動を規制するように構成したシャフトアッセンブリにおいて、
前記動力伝達軸の周溝と、肩部の配設部との少なくとも一方が、熱処理後における加工により形成されていることを特徴とするシャフトアッセンブリ。
【請求項９】
前記等速自在継手の内輪の内周面に形成されたセレーションまたはスプライン状の歯型と、前記動力伝達軸の軸端部の外周面に形成されたセレーションまたはスプライン状の歯型とを嵌合させると共に、前記動力伝達軸の周溝に装着された抜け止め部材に、前記内輪の継手内部側に位置する内部側チャンファが当接し、且つ、前記動力伝達軸の肩部に、前記内輪の継手入口側に位置する入口側チャンファが当接していることを特徴とする請求項８に記載のシャフトアッセンブリ。
【請求項１０】
ドライブシャフトアッセンブリまたはプロペラシャフトアッセンブリに使用されることを特徴とする請求項８または９に記載のシャフトアッセンブリ。
【発明の詳細な説明】
【技術分野】
【０００１】
本発明は、動力伝達軸及びシャフトアッセンブリに係り、詳しくは、等速自在継手の内輪の内周側に軸端部が嵌合される動力伝達軸、及びその動力伝達軸と等速自在継手とを備えてなるシャフトアッセンブリの改良に関する。
【背景技術】
【０００２】
周知のように、等速自在継手は、内周面に軸方向に延びる複数の案内溝が形成された外輪と、外周面に軸方向に延びる複数の案内溝が形成された内輪と、これらの外輪及び内輪の案内溝が協働して形成するボールトラックに配された複数のトルク伝達部材と、該トルク伝達部材を保持する保持器とを備えて構成されているのが一般的である。また、トリポード型の等速自在継手（ＴＪ）は、内周面に複数の軸方向溝が形成された外輪と、該外輪の内部に収容される内輪と、該内輪の外周面に回動自在に保持され且つ内輪及び外輪の相互間でトルクを伝達するトルク伝達部材（ローラ）とを備えている。これらの等速自在継手における内輪の内周側には、駆動軸または従動軸もしくは中間軸などの動力伝達軸の軸端部が、セレーションまたはスプラインなどにより周方向移動（周方向相対移動）を規制されて嵌合されているのが通例である。
【０００３】
詳述すると、等速自在継手と動力伝達軸とを備えてなるシャフトアッセンブリは、内輪の内周面に形成されたセレーションまたはスプライン状などの歯型と、動力伝達軸の軸端部の外周面に形成されたセレーションまたはスプライン状などの歯型とを嵌合させる構造が一般的に採用され、公知の如く、セレーションとスプラインとは歯型形状により区別される。
【０００４】
この種のシャフトアッセンブリにおける内輪の動力伝達軸に対する軸方向移動を規制する両者の結合構造としては、図７及び図８に示すように、動力伝達軸１１の軸端部１１ｘにおける軸端寄り位置に形成された周溝１１ｂに丸サークリップ１３を装着すると共に、その軸端部１ｘにおける軸中央寄り位置に肩部１１ｃを一体形成する。そして、内輪１２の歯型１２ａの継手内部側に位置する内部側チャンファ１２ｂを丸サークリップ１３に当接させ、且つ内輪１２の継手入口側に位置する入口側チャンファ１２ｃを肩部１１ｃに当接させることが一例として挙げられる（特許文献１の図１参照）。この場合、肩部１１ｃは、上記の如く動力伝達軸１１に一体形成されるものに限られず、例えば動力伝達軸１１の該当する位置に周溝を形成すると共にその周溝に止め輪を装着し、且つその止め輪の軸端側の面部分を肩部として、内輪の入口側端面を当接させる構造であってもよい（特許文献１の図５（ｂ）参照）。
【０００５】
【特許文献１】特許第３１８８００１号公報
【発明の開示】
【発明が解決しようとする課題】
【０００６】
ところで、従来においては、上記例示の結合構造を採用した場合、等速自在継手の内輪１２に動力伝達軸１１を組み付けた後に、両者１１、１２間に軸方向のガタツキが発生するという問題を招来していた。特に、この種のシャフトアッセンブリが自動車のドライブシャフトやプロペラシャフトに適用される場合に、上記の内輪１２と動力伝達軸１１との間の軸方向のガタツキが大きいと、自動車の振動特性を悪化させる要因となる。
【０００７】
したがって、図８（ａ）に示す内輪１２の内部側チャンファ１２ｂにおける丸サークリップ１３との当接基準位置１２ｂｏから入口側チャンファ１２ｃにおける肩部１１ｃとの当接基準位置１２ｃｏまでの寸法Ｌ１と、同図（ｂ）に示す動力伝達軸１１の周溝１１ｂにおける丸サークリップ１３との当接基準位置１１ｂｏから肩部１１ｃにおける入口側チャンファ１２ｃとの当接基準位置１１ｃｏまでの寸法Ｌ２とを、適正に合致させるべく厳しく管理する必要がある。
【０００８】
しかしながら、従来の結合構造では、周溝１ｂや肩部１ｃを含む大半の切削加工を完了した後に、鋼からなる動力伝達軸１に高周波熱処理や浸炭熱処理等の熱処理を施し、その後、図７（ａ）に示す状態となるように内輪１２に動力伝達軸１１を組み付けているのが通例であった。そのため、動力伝達軸１１における上記の当接基準位置１１ｂｏ、１１ｃｏ間の寸法Ｌ２が、熱処理変形に起因してバラツキが生じることにより適正でなくなることから、図７（ｂ）｛図７（ａ）に符号Ａ２を付した箇所の拡大図｝に示すように丸サークリップ１３と内輪１２の内部側チャンファ１２ｂとの間の隙間Ｓも大きくなり、その結果、内輪１２と動力伝達軸１１との間に、許容しがたい軸方向のガタツキが生じ得ることになる。
【０００９】
本発明は、上記事情に鑑み、動力伝達軸に工夫を講じることにより、等速自在継手の内輪に動力伝達軸を組み付けた場合における両者間に生じ得る軸方向のガタツキを可及的に抑制することを技術的課題とする。
【課題を解決するための手段】
【００１０】
上記技術的課題を解決するために創案された本発明に係る動力伝達軸は、軸端部の外周面が、等速自在継手の内輪の内周面に周方向移動を規制されて嵌合されると共に、前記軸端部の軸端寄り位置に、前記内輪の軸端側への軸方向移動を規制する抜け止め部材を装着する周溝が形成され、且つ、前記軸端部の軸中央寄り位置に、前記内輪の軸中央側への軸方向移動を規制する肩部が配設された動力伝達軸において、前記周溝と、前記肩部の配設部との少なくとも一方が、熱処理後における加工により形成されていることに特徴づけられる。ここで、上記の「肩部が配設された」とは、動力伝達軸に肩部が一体形成されている場合に限られず、例えば動力伝達軸に周溝を形成し且つその周溝に肩部の役割を果たす止め輪を装着した場合等をも含む（以下、同様）。したがって、上記の「肩部の配設部」とは、動力伝達軸に一体形成された肩部そのものを意味するに限られず、動力伝達軸に肩部の役割を果たす止め輪を装着するための周溝をも意味している（以下、同様）。
【００１１】
このような構成によれば、動力伝達軸（好ましくは動力伝達軸の必要箇所）の熱処理後に、内輪の軸端側への軸方向移動を規制する抜け止め部材を装着する周溝と、内輪の軸中央側への軸方向移動を規制する肩部の配設部との少なくとも一方が、切削（例えば焼入れ鋼切削）等の加工によって形成されていることから、熱処理変形による悪影響を受けることなく、周溝と肩部の配設部との相互間寸法を極めて正確にして高精度化を図ることができる。これにより、周溝に装着される抜け止め部材と内輪との当接箇所、及び肩部と内輪との当接箇所に不当な大きさの隙間が生じなくなり、内輪への動力伝達軸の組み付け後に、両者間に不当な軸方向のガタツキが生じるという不具合を可及的に抑止することが可能となる。そして、この動力伝達軸が等速自在継手の内輪に組み付けられてなるシャフトアッセンブリを自動車に適用すれば、自動車の振動特性を改善することができる。なお、抜け止め部材及び肩部に当接可能な内輪の部位は、後述する内輪の両端チャンファに限られず、内輪のチャンファではない両端部であってもよく、また内輪の歯型の両端部（チャンファである場合を含む）であってもよい。
【００１２】
この場合、前記軸端部の外周面に、前記等速自在継手の内輪の内周面に形成されたセレーション又はスプライン状の歯型に嵌合可能なセレーション又はスプライン状の歯型が形成されると共に、前記周溝に装着された抜け止め部材に、前記内輪の継手内部側に位置する内部側チャンファが当接可能とされ、且つ、前記肩部に、前記内輪の継手入口側に位置する入口側チャンファが当接可能とされるように構成することができる。
【００１３】
このようにすれば、動力伝達軸の軸端部が、セレーション又はスプライン状の歯型の嵌合により、内輪に対して周方向移動（周方向相対移動）を規制された上で、動力伝達軸の周溝に装着された抜け止め部材に内輪の内部側チャンファが適正に当接し、且つ動力伝達軸の肩部に内輪の入口側チャンファが適正に当接して、両者の軸方向位置決めが正確且つガタツキなく行われることになる。
【００１４】
上記の動力伝達軸は、前記周溝と、前記肩部の配設部とが、熱処理後の切削により同時加工されていることが好ましい。
【００１５】
このようにすれば、熱処理後における切削加工時の作業性或いは作業能率が向上すると共に、周溝と肩部との両者を軸方向の理想位置に形成することが可能となる。
【００１６】
上記の動力伝達軸は、材質が鋼であり、前記熱処理は、高周波熱処理、或いは、浸炭熱処理であることが好ましい。ここで、上記の「高周波熱処理」としては、高周波焼入れ焼き戻しまたは高周波焼入れを代表例として挙げることができ、また上記の「浸炭熱処理」としては、浸炭焼入れ焼き戻し、浸炭焼入れ、浸炭窒化焼入れ焼き戻しまたは浸炭窒化焼入れを代表例として挙げることができる。
【００１７】
このようにすれば、動力伝達軸における必要箇所の表層部を硬質にして耐久性の向上を図ることが可能となる。
【００１８】
上記の熱処理後の加工は、焼入れ鋼切削加工であることが好適である。ここで、「焼入れ鋼切削加工」とは、切削油を使用することなく、セラミック、サーメット、ＣＢＮなどの専用チップを用いて、焼入れ後の高硬度鋼を旋削等で仕上げる加工のことを意味する。
【００１９】
このようにすれば、切削油を使用することなく加工できることから、環境面で有利になると共に、切削加工後の面性状も優れたものとなる。
【００２０】
また、前記抜け止め部材は、丸サークリップ、或いは、スナップリングであることが好ましい。
【００２１】
このようにすれば、動力伝達軸の周溝に装着された丸サークリップまたはスナップリングにより、内輪の軸端側への軸方向移動を確実且つ適切に規制することが可能となる。
【００２２】
一方、上記技術的課題を解決するために創案された本発明に係るシャフトアッセンブリは、等速自在継手の内輪の内周面と動力伝達軸の軸端部の外周面とを周方向移動を規制して嵌合させると共に、前記動力伝達軸の軸端部の軸端寄り位置に周溝を形成して、該周溝に装着された抜け止め部材が、前記内輪の軸端側への軸方向移動を規制するように構成し、且つ、前記動力伝達軸の軸端部の軸中央寄り位置に配設した肩部が、前記内輪の軸中央側への軸方向移動を規制するように構成したシャフトアッセンブリにおいて、前記動力伝達軸の周溝と、肩部の配設部との少なくとも一方が、熱処理後における加工により形成されていることに特徴づけられる。
【００２３】
このようなシャフトアッセンブリによっても、動力伝達軸の熱処理後に、内輪の軸端側への軸方向移動を規制する抜け止め部材を装着する周溝と、内輪の軸中央側への軸方向移動を規制する肩部の配設部との少なくとも一方が、切削（例えば焼入れ鋼切削）等の加工によって形成されていることから、このような構成に対応する既述の作用効果が同様にして得られる。
【００２４】
この場合、前記等速自在継手の内輪の内周面に形成されたセレーションまたはスプライン状の歯型と、前記動力伝達軸の軸端部の外周面に形成されたセレーションまたはスプライン状の歯型とを嵌合させると共に、前記動力伝達軸の周溝に装着された抜け止め部材に、前記内輪の継手内部側に位置する内部側チャンファが当接し、且つ、前記動力伝達軸の肩部に、前記内輪の継手入口側に位置する入口側チャンファが当接した構成とすることができる。
【００２５】
このようにした場合にも、動力伝達軸の軸端部が、セレーション又はスプライン状の歯型の嵌合により、内輪に対して周方向移動（周方向相対移動）を規制された上で、動力伝達軸の周溝に装着された抜け止め部材に内輪の内部側チャンファが適正に当接し、且つ動力伝達軸の肩部に内輪の入口側チャンファが適正に当接して、両者の軸方向位置決めが正確且つガタツキなく行われることになる。
【００２６】
また、このシャフトアッセンブリは、ドライブシャフトアッセンブリまたはプロペラシャフトアッセンブリに使用することが好適である。
【００２７】
このようにすれば、自動車用のシャフトアッセンブリとして有効利用され、自動車の振動特性を効果的に改善することが可能となる。
【発明の効果】
【００２８】
以上のように本発明によれば、動力伝達軸に対して高周波熱処理や浸炭熱処理等の熱処理を施した後に、内輪の軸方向移動を規制する抜け止め部材が装着される周溝と、肩部の配設部との少なくとも一方を、切削（例えば焼入れ鋼切削）等の加工により形成していることから、熱処理変形による悪影響を受けることなく、周溝と肩部の配設部との相互間寸法を極めて正確にして高精度化を図ることができ、内輪への動力伝達軸の組み付け後に、両者間に不当な軸方向のガタツキが生じるという不具合を可及的に抑止することが可能となる。
【発明を実施するための最良の形態】
【００２９】
以下、本発明の実施形態に係る動力伝達軸及びこれを用いたシャフトアッセンブリを図面を参照しつつ説明する。
【００３０】
図１（ａ）は、本発明の第１実施形態に係る動力伝達軸１が等速自在継手の内輪２に組み付けられてなるシャフトアッセンブリ１０の要部を示す概略縦断側面図、図１（ｂ）は、図１（ａ）の符号Ａで示す箇所の拡大図、図２（ａ）は、上記の内輪２を単体として示す概略縦断側面図、図２（ｂ）は、上記の動力伝達軸１を単体として示す概略側面図である。なお、この第１実施形態では、等速自在継手が、ＢＪ（ボールフィックスドジョイント）に係る場合を例示している。
【００３１】
図１及び図２に示すように、等速自在継手の内輪２は、外周面に軸方向に延びる複数の案内溝２ｘが形成されると共に、内周面にセレーション２ａ（またはスプライン）が形成されている。このセレーション２ａの継手内部側の端部（同図の左端部）には、内部側チャンファ２ｂが形成されると共に、継手入口側の端部（同図の右端部）には、入口側チャンファ２ｃが形成されている。
【００３２】
この場合、入口側チャンファ２ｃは、含軸断面形状が、継手入口側に移行するに連れて直線状に外周側に移行する直線部２ｃａのみからなるテーパ状とされている。これに対して、内部側チャンファ２ｂは、含軸断面形状が、継手内部側に移行するに連れて直線状に外周側に移行する直線部２ｂａと、この直線部２ｂａの外周側を継手内部側に向かって中心軸と平行に延びる直線部２ｂｂと、この両直線部２ｂａ、２ｂｂを滑らかに繋ぐ凹状の湾曲線部２ｂｃとを有する部分テーパ状とされている（図１（ｂ）参照）。なお、内部側チャンファ２ｂの直線部２ｂａは、入口側チャンファ２ｃの直線部２ｃａよりも中心軸を基準として勾配が大きくなっている。
【００３３】
一方、図１及び図２に示すように、動力伝達軸１は、軸端部１ｘの外周面にセレーション１ａ（またはスプライン）が形成されている。そして、この動力伝達軸１の軸端部１ｘにおける軸端寄り位置（同図の左寄り位置）には、抜け止め部材としての断面が円形の丸サークリップ３を装着する周溝１ｂが、セレーション１ａを切除して形成されている。なお、この周溝１ｂの底面の含軸断面形状は、軸方向中央が窪む円弧とされると共に、この周溝１ｂの対向する両側面はそれぞれ軸直角面と平行な平面とされている。
【００３４】
また、この動力伝達軸１の軸端部１ｘにおける軸中央寄り位置（同図の右寄り位置）には、既述の内輪２の入口側チャンファ２ｃと同一の方向性及び同一の含軸断面形状を有する肩部１ｃが形成されている。この場合、肩部１ｃの中心軸に対する傾斜角度は、１５度以上で且つ３２．５度以下に設定されている（入口側チャンファ２ｃについても同様）。この肩部１ｃは、セレーション１ａの軸中央側端部から軸中央側に離隔した位置に存在すると共に、同方向に離隔して形成された大径部１ｄの軸端側のテーパ部として形成されている。
【００３５】
更に、この動力伝達軸１は材質が鋼であって、高周波熱処理または浸炭熱処理等の熱処理を施した後に、周溝１ｂと肩部１ｃとが焼入れ鋼切削により同時加工して形成されている。この場合、図３（ａ）に示す動力伝達軸１における鎖線Ｂの外周側領域（全周に亘る領域）に、熱処理による硬化層が形成され、この硬化層は、周溝１ｂには至っておらず、その僅か手前までの領域に形成されている。なお、図３（ｂ）｛図３（ａ）に符号Ａ１を付した箇所の拡大図｝に示すように、動力伝達軸１の肩部１ｃは、点線Ｃで示す熱処理前の形態が、熱処理後の焼入れ鋼切削加工を行うことにより実線で示す形態となる。
【００３６】
そして、図１（ａ）に示すように、内輪２に動力伝達軸１の軸端部１ｘを組み付けた状態では、内輪２のセレーション２ａと動力伝達軸１のセレーション１ａとが嵌合することにより、両者１、２の周方向相対移動が規制されている。更に、動力伝達軸１の周溝１ｂに装着した丸サークリップ３に内輪２の内部側チャンファ２ｂが当接し、且つ動力伝達軸１に形成された肩部１ｃに内輪２の入口側チャンファ２ｃが当接することにより、両者１、２の軸方向相対移動が規制されている。
【００３７】
この状態の下では、動力伝達軸１の熱処理後に周溝１ｂと肩部１ｃとが焼入れ鋼切削加工されているので、既述の図８（ａ）に示す内輪２の内部側チャンファ２ｂにおける丸サークリップ３との当接基準位置２ｂｏから入口側チャンファ２ｃにおける肩部１ｃとの当接基準位置２ｃｏまでの寸法Ｌ１と、同図（ｂ）に示す動力伝達軸１の周溝１ｂにおける丸サークリップ３との当接基準位置１ｂｏから肩部１ｃにおける入口側チャンファ２ｃとの当接基準位置１ｃｏまでの寸法Ｌ２とが適正に合致する。これにより、動力伝達軸１の肩部１ｃに、内輪２の入口側チャンファ２ｃが当接した状態で、図１（ｂ）に示すように、動力伝達軸１の周溝１ｂに装着された丸サークリップ３に、内輪２の内部側チャンファ２ｂが適正に当接する。なお、丸サークリップ３には、内部側チャンファ２ｂの一方の直線部２ｂａが当接するのみならず他方の直線部２ｂｂも当接もしくは略当接した状態となる。以上の結果、内輪２の動力伝達軸１に対する軸方向のガタツキが可及的に抑制される。
【００３８】
図４（ａ）及び図４（ｂ）はそれぞれ、本発明の第２、第３実施形態に係る動力伝達軸１を例示している。これらの動力伝達軸１は何れも、主として、ＤＯＪ（ダブルオフセット型ジョイント）、ＬＪ（クロスグルーブ型ジョイント）またはＴＪ（トリポード型ジョイント）からなる等速自在継手に適用されるものである。図４（ａ）に示す動力伝達軸１が、上述の第１実施形態に係る動力伝達軸１と相違する点は、断面が四角形のスナップリング４を装着する周溝１ｂが形成され、この周溝１ｂの底面が平面とされ且つセレーション１ａの端部の軸端側に隣接する位置に形成されている点である。また、図４（ｂ）に示す動力伝達軸１は、同じく断面が四角形のスナップリング４を装着する周溝１ｂを、セレーション１ａの軸方向途中に形成したものである。そして、この両者の場合、スナップリング４に当接する内輪２の部位は、内輪２に形成されたセレーション２ａの内部側チャンファでなくてもよく、そのセレーション２ａを除外した内輪２の軸方向端面であってもよい。なお、この第２、第３実施形態に係る動力伝達軸１におけるこれら以外の構成は、上述の第１実施形態と同一であるので、共通する構成要件については同一符号を付してその説明を省略する。
【００３９】
図５は、本発明の第４実施形態に係る動力伝達軸１を例示している。この動力伝達軸１が、上述の第１実施形態に係る動力伝達軸１と相違する点は、肩部１ｃが中心軸に直角な平面として形成されている点である。この場合、肩部１ｃに当接する内輪２の部位は、内輪２に形成されたセレーション２ａの入口側チャンファでなくてもよく、そのセレーション２ａを除外した内輪２の軸方向端面であってもよい。そして、この第４実施形態に係る動力伝達軸１におけるこれら以外の構成は、上述の第１実施形態と同一であるので、共通する構成要件については同一符号を付してその説明を省略する。
【００４０】
図６（ａ）、図６（ｂ）及び図６（ｃ）はそれぞれ、本発明の第５、第６、第７実施形態に係る動力伝達軸１を例示している。これらのうち、図６（ａ）に示す動力伝達軸１は、主として、ＢＪからなる等速自在継手に適用され、図６（ｂ）、（ｃ）に示す動力伝達軸１は何れも、主として、ＤＯＪ、ＬＪまたはＴＪからなる等速自在継手に適用されるものである。図６（ａ）に示す動力伝達軸１が、上述の第１実施形態に係る動力伝達軸１と相違する点は、肩部の役割を果たす止め輪５が装着される第２の周溝１ｅが、セレーション１ａの軸方向途中に形成されている点である。すなわち、止め輪５の軸端側の面５ａが、内輪２の入口側の端面が当接する肩部とされている。したがって、この動力伝達軸１は、熱処理が施された後に、丸サークリップが装着される周溝１ｂと、肩部の配設部としての止め輪５装着用の第２の周溝１ｅとが、焼入れ鋼切削加工（好ましくは同時加工）されている。また、図６（ｂ）に示す動力伝達軸１は、同じく止め輪５が装着される第２の周溝１ｅを形成した上で、丸サークリップを装着する周溝に代えて断面が四角形のスナップリングを装着する周溝１ｂを、セレーション１ａの端部の軸端側に隣接する位置に形成したものであり、図６（ｃ）に示す動力伝達軸１は、断面が四角形のスナップリングを装着する周溝１ｂを、セレーション１ａの軸方向途中に形成したものである。そして、この第５、第６、第７実施形態に係る動力伝達軸１におけるこれら以外の構成は、上述の第１実施形態と同一であるので、共通する構成要件については同一符号を付してその説明を省略する。
【００４１】
なお、以上の実施形態では、動力伝達軸１についてのみ熱処理後に加工（焼入れ鋼切削加工）したものを例示したが、これに加えて、内輪２についても同様に材質が鋼であり、高周波熱処理または浸炭熱処理等の熱処理を施した後に、内部側チャンファ２ｂ及び入口側チャンファ２ｃに例示されるように内輪２の動力伝達軸１に対する軸方向位置決めに必要な箇所を加工（焼入れ鋼切削加工）したものであってもよい。
【図面の簡単な説明】
【００４２】
【図１】図１（ａ）は、本発明の第１実施形態に係る動力伝達軸と等速自在継手の内輪とを組み付けてなるシャフトアッセンブリを示す概略縦断側面図、図１（ｂ）は、その要部を示す拡大縦断側面図である。
【図２】図２（ａ）は、前記シャフトアッセンブリの内輪を示す概略縦断側面図、図２（ｂ）は、前記シャフトアッセンブリの動力伝達軸を示す概略側面図である。
【図３】図３（ａ）は、前記シャフトアッセンブリの動力伝達軸を示す概略側面図、図３（ｂ）は、その要部を示す概略側面図である。
【図４】図４（ａ）は、本発明の第２実施形態に係る動力伝達軸を示す概略側面図、図４（ｂ）は、本発明の第３実施形態に係る動力伝達軸を示す概略側面図である。
【図５】本発明の第４実施形態に係る動力伝達軸を示す概略側面図である。
【図６】図６（ａ）は、本発明の第５実施形態に係る動力伝達軸を示す概略側面図、図６（ｂ）は、本発明の第６実施形態に係る動力伝達軸を示す概略側面図、図６（ｃ）は、本発明の第７実施形態に係る動力伝達軸を示す概略側面図である。
【図７】図７（ａ）は、従来の動力伝達軸と等速自在継手の内輪とを組み付けてなるシャフトアッセンブリを示す概略縦断側面図、図７（ｂ）は、その要部を示す拡大縦断側面図である。
【図８】図８（ａ）は、従来の問題点を説明するための内輪の概略縦断側面図、図８（ｂ）は、従来の問題点を説明するための動力伝達軸の概略側面図である。
【符号の説明】
【００４３】
１  動力伝達軸
１ａ  歯型（セレーションまたはスプライン）
１ｂ  周溝
１ｃ  肩部
２  内輪
２ａ  歯型（セレーションまたはスプライン）
２ｂ  内部側チャンファ
２ｃ  入口側チャンファ
３  丸サークリップ（抜け止め部材）
４  スナップリング
５  肩部（止め輪）
Ｂ  熱処理後の硬化層
【図１】
2009180315.tif 000003
【図２】
2009180315.tif 000004
【図３】
2009180315.tif 000005
【図４】
2009180315.tif 000006
【図５】
2009180315.tif 000007
【図６】
2009180315.tif 000008
【図７】
2009180315.tif 000009
【図８】
2009180315.tif 000010